【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
転写材を収容する収容部と、
トナー像を担持する像担持体と、
前記像担持体と接触して転写部を形成し、前記転写部において前記像担持体から転写材にトナー像を転写する転写部材と、
前記転写部材に電圧を印加する転写電源と、
転写材の搬送方向に関して前記転写部よりも下流側に配置され、転写材を加熱することで転写材にトナー像を定着する定着手段と、
前記収容部から前記転写部に向けて搬送される転写材を案内する第一搬送路と、
前記第一搬送路と合流し、第一面に画像を形成された後の転写材であって前記定着手段を通過した後に前記第一面とは反対の第二面にトナー像を転写するために再び前記転写部へ向けて搬送される転写材を案内する第二搬送路と、
前記第一面にトナー像を転写する場合に前記転写部材から前記像担持体に向かって第１の値の電流が流れるように前記転写電源を制御する制御手段と、を備える画像形成装置において、
前記制御手段は、前記第一面に画像を形成された後の転写材が、前記第二搬送路で所定の時間以上待機した後に前記転写部に搬送される場合に、前記転写部材から前記像担持体に向かって前記第１の値とは異なる第２の値の電流が流れるように前記転写電源を制御し、前記像担持体から転写材の前記第二面にトナー像を転写することを特徴とする画像形成装置。
【請求項２】
前記第二搬送路は、前記第二搬送路における転写材の搬送方向に関して、前記定着手段が設けられている位置の下流側端部よりも上流側に位置する領域を有し、前記第二搬送路の前記領域が、前記定着手段によって転写材を加熱する際の熱によって暖められることを特徴とする請求項１に記載の画像形成装置。
【請求項３】
前記第一面及び前記第二面にトナー像を転写する場合、前記転写電源は前記転写部材にトナーの正規の帯電極性とは逆極性の電圧を印加し、前記第２の値の絶対値は、前記第１の値の絶対値よりも大きいことを特徴とする請求項１又は２に記載の画像形成装置。
【請求項４】
転写材の搬送方向に関して、前記転写部よりも下流側、且つ前記定着手段よりも上流側に配置され、前記転写部においてトナー像が転写された転写材を除電する除電手段を備え、
前記除電手段は、前記転写部に挟持された状態の転写材の、前記転写部材に接触する側の面に対向して配置されている除電部材と、前記除電部材に電圧を印加する除電電源と、
を有することを特徴とする請求項１乃至３のいずれか１項に記載の画像形成装置。
【請求項５】
前記制御手段は、前記除電電源を制御して前記除電部材にトナーの正規の帯電極性と同じ極性の電圧を印加することで、前記転写部を通過する転写材を除電し、
前記第一面に画像を形成された後の転写材が、前記第二搬送路で所定の時間以上待機した後に前記転写部に搬送される場合に、前記除電電源は、転写材の前記第一面が前記像担持体と対向した状態で前記転写部を通過する際に前記除電部材に印加した電圧よりも、絶対値が大きな電圧を前記除電部材に印加することを特徴とする請求項４に記載の画像形成装置。
【請求項６】
転写材を収容する収容部と、
トナー像を担持する像担持体と、
前記像担持体と接触して転写部を形成し、前記転写部において前記像担持体から転写材にトナー像を転写する転写部材と、
転写材の搬送方向に関して前記転写部よりも下流側に配置され、転写材を加熱することで転写材にトナー像を定着する定着手段と、
転写材の搬送方向に関して、前記転写部よりも下流側、且つ前記定着手段よりも上流側に配置され、前記転写部においてトナー像が転写された転写材を除電する除電手段であって、前記転写部に挟持された状態の転写材の、前記転写部材に接触する側の面に対向して配置されている除電部材と、
前記除電部材に電圧を印加する除電電源と、を有する前記除電手段と、
前記収容部から前記転写部に向けて搬送整される転写材を案内する第一搬送路と、
前記第一搬送路と合流し、第一面に画像を形成された後の転写材であって前記定着手段を通過した後に前記第一面とは反対の第二面にトナー像を転写するために再び前記転写部へ向けて搬送される転写材を案内する第二搬送路と、
転写材の前記第一面が前記像担持体と対向した状態で前記転写部を通過する場合に、前記除電電源から前記除電部材に第１の値の電圧を印加するように前記除電電源を制御する制御手段と、を備える画像形成装置において、
前記制御手段は、前記第一面に画像を形成された後の転写材が、前記第二搬送路で所定の時間以上待機した後に前記転写部に搬送される場合に、前記除電部材に前記第１の値とは異なる第２の値の電圧を印加するように前記除電電源を制御し、前記第二面が前記像担持体と対向した状態で前記転写部を通過する転写材を除電することを特徴とする画像形成装置。
【請求項７】
前記第二搬送路は、前記第二搬送路における転写材の搬送方向に関して、前記定着手段が設けられている位置の下流側端部よりも上流側に位置する領域を有し、前記第二搬送路の前記領域が、前記定着手段によって転写材を加熱する際の熱によって暖められることを特徴とする請求項６に記載の画像形成装置。
【請求項８】
前記制御手段は、前記除電電源を制御して前記除電部材にトナーの正規の帯電極性と同じ極性の電圧を印加することで、前記転写部を通過する転写材を除電し、前記第２の値の絶対値は、前記第１の値の絶対値よりも大きいことを特徴とする請求項６又は７に記載の画像形成装置。
【請求項９】
転写材を収容する収容部と、
トナー像を担持する像担持体と、
前記像担持体と接触して転写部を形成し、前記転写部において前記像担持体から転写材にトナー像を転写する転写部材と、
前記転写部材に電圧を印加する転写電源と、
転写材の搬送方向に関して前記転写部よりも下流側に配置され、転写材を加熱することで転写材にトナー像を定着する定着手段と、
前記収容部から前記転写部に向けて搬送される転写材を案内する第一搬送路と、
前記第一搬送路と合流し、第一面に画像を形成された後の転写材であって前記定着手段を通過した後に前記第一面とは反対の第二面にトナー像を転写するために再び前記転写部へ向けて搬送される転写材を案内する第二搬送路と、
前記第一面にトナー像を転写する場合に前記転写部材に第１の値の電圧を印加するように前記転写電源を制御する制御手段と、を備える画像形成装置において、
前記制御手段は、前記第一面に画像を形成された後の転写材が、前記第二搬送路で所定の時間以上待機した後に前記転写部に搬送される場合に、前記転写部材に前記第１の値とは異なる第２の値の電圧を印加するように前記転写電源を制御し、前記像担持体から転写材の前記第二面にトナー像を転写することを特徴とする画像形成装置。
【請求項１０】
前記第二搬送路に設けられ、搬送される転写材の先端又は後端を検知する検知手段を備え、前記制御手段は、前記検知手段による転写材の検知タイミングからの経過時間をカウントするカウンターを有し、
前記制御手段は、前記検知手段による前記第一面に画像を形成された後の転写材の先端又は後端の検知タイミングと前記カウンターとによって、前記第二搬送路において転写材が待機した時間が前記所定の時間以上であるかを判断することを特徴とする請求項１乃至９のいずれか１項に記載の画像形成装置。
【請求項１１】
感光体を備え、前記像担持体は、前記感光体から転写されるトナー像を担持する無端状の中間転写体であることを特徴とする請求項１乃至１０のいずれか１項に記載の画像形成装置。
【請求項１２】
前記感光体に当接して前記感光体に付着したトナーを回収する当接部材と、前記中間転写体の内周面に接触し、前記感光体と前記中間転写体とが接触する一次転写部を形成する一次転写部材と、前記一次転写部材に電圧を印加する一次転写電源と、前記中間転写体の移動方向に関して、前記転写部よりも下流側であって前記感光体と前記中間転写体とが当接する位置よりも上流側に配置され、前記中間転写体の外周面に当接した状態で前記転写部を通過したトナーを帯電する帯電部材と、前記帯電部材に電圧を印加する帯電電源と、を備え、
前記一次転写電源は、前記一次転写部材にトナーの正規の帯電極性とは逆極性の電圧を印加することにより前記感光体に担持されたトナー像を前記中間転写体に転写し、
前記制御手段は、前記帯電電源から前記帯電部材に前記逆極性の電圧を印加し、且つ、前記一次転写電源から前記一次転写部材に前記逆極性の電圧を印加することにより、前記転写部を通過したトナーを、前記一次転写部において前記中間転写体から前記感光体に移動させた後に前記当接部材によって回収する第１の回収動作を実行することが可能であることを特徴とする請求項１１に記載の画像形成装置。
【請求項１３】
前記一次転写電源から前記一次転写部材に前記逆極性の電圧を印加することにより、前記感光体から前記中間転写体にトナー像を転写しつつ、前記第１の回収動作を実行することを特徴とする請求項１２に記載の画像形成装置。
【請求項１４】
前記制御手段は、前記帯電電源から前記帯電部材にトナーの正規の帯電極性と同極性の電圧を印加し、且つ、前記一次転写電源から前記一次転写部材に前記同極性の電圧を印加することにより、前記帯電部材に付着したトナーを前記帯電部材から前記中間転写体に移動させ、前記中間転写体に移動したトナーを、前記一次転写部において前記中間転写体から前記感光体に移動させた後に前記当接部材によって回収する第２の回収動作を実行することが可能であることを特徴とする請求項１２又は１３に記載の画像形成装置。
【請求項１５】
前記制御手段は、前記第一面に画像を形成された後の転写材が前記第二搬送路に位置する間に前記第２の回収動作を実行する場合、前記第２の回収動作が完了するまでの間は転写材を前記第二搬送路で待機させることを特徴とする請求項１４に記載の画像形成装置。
【請求項１６】
前記制御手段は、画像形成動作を一時中断し、前記定着手段を稼働させて前記画像形成装置の内部の除湿を行う除湿制御を実行することが可能であり、前記第一面に画像を形成された後の転写材が前記第二搬送路に位置する間に前記除湿制御を実行する場合、前記除湿制御が完了するまでの間は転写材を前記第二搬送路で待機させることを特徴とする請求項１乃至１５のいずれか１項に記載の画像形成装置。
【請求項１７】
前記像担持体にトナーを供給する現像手段を備え、前記像担持体は、前記現像手段によって静電潜像が現像される感光体であることを特徴とする請求項１乃至１０のいずれか１項に記載の画像形成装置。
【請求項１８】
転写材を収容する収容部と、
トナー像を担持する像担持体と、
前記像担持体と接触して転写部を形成し、前記転写部において前記像担持体から転写材にトナー像を転写する転写部材と、
前記転写部材に電圧を印加する転写電源と、
転写材の搬送方向に関して前記転写部よりも下流側に配置され、転写材を加熱することで転写材にトナー像を定着する定着手段と、
前記収容部から前記転写部に向けて搬送される転写材を案内する第一搬送路と、
前記第一搬送路と合流し、第一面に画像を形成された後の転写材であって前記定着手段を通過した後に前記第一面とは反対の第二面にトナー像を転写するために再び前記転写部へ向けて搬送される転写材を案内する第二搬送路と、
トナー像を転写する場合に前記転写部材から前記像担持体に向かって所定の値の電流が流れるように前記転写電源を制御する制御手段と、を備える画像形成装置において、
前記制御手段は、前記第一面に画像を形成された後の転写材が、前記第二搬送路において所定の時間未満で搬送された場合に、前記転写部材から前記像担持体に向かって第１の値の電流が流れるように前記転写電源を制御し、前記第二搬送路で所定の時間以上待機した後に前記転写部に搬送される場合には、前記転写部材から前記像担持体に向かって前記第１の値とは異なる第２の値の電流が流れるように前記転写電源を制御することによって、前記像担持体から転写材の前記第二面にトナー像を転写することを特徴とする画像形成装置。
【手続補正２】
【補正対象書類名】明細書
【補正対象項目名】０００８
【補正方法】変更
【補正の内容】
【０００８】
本発明は、転写材を収容する収容部と、トナー像を担持する像担持体と、前記像担持体と接触して転写部を形成し、前記転写部において前記像担持体から転写材にトナー像を転写する転写部材と、前記転写部材に電圧を印加する転写電源と、転写材の搬送方向に関して前記転写部よりも下流側に配置され、転写材を加熱することで転写材にトナー像を定着する定着手段と、前記収容部から前記転写部に向けて搬送される転写材を案内する第一搬送路と、前記第一搬送路と合流し、第一面に画像を形成された後の転写材であって前記定着手段を通過した後に前記第一面とは反対の第二面にトナー像を転写するために再び前記転写部へ向けて搬送される転写材を案内する第二搬送路と、  前記第一面にトナー像を転写する場合に前記転写部材から前記像担持体に向かって第１の値の電流が流れるように前記転写電源を制御する制御手段と、を備える画像形成装置において、前記制御手段は、前記第一面に画像を形成された後の転写材が、前記第二搬送路で所定の時間以上待機した後に前記転写部に搬送される場合に、前記転写部材から前記像担持体に向かって前記第１の値とは異なる第２の値の電流が流れるように前記転写電源を制御し、前記像担持体から転写材の前記第二面にトナー像を転写することを特徴とする。